(57)【要約】      （修正有）【課題】３つのものを分けて同時に封入できるように改良された包装袋を提供する。【解決手段】包装袋１は、プラスチックフィルムで形成され、第１の収容部９と、第２の収容部１０と第３の収容部１１とを備える。第２の収容部１０及び第３の収容部１１は、第１の収容部９を両側から挟むように設けられ、両側部がヒートシールにより止められている。【選択図】図１
0003203273.tif 000002
【実用新案登録請求の範囲】
【請求項１】
プラスチックフィルムで形成された包装袋であって、
第１の収容部と第２の収容部と第３の収容部と、を備え、
前記第２の収容部及び第３の収容部は、前記第第１の収容部を両側から挟むように設けられ、
両側部がヒートシールにより止められている、包装袋。
【請求項２】
前記第１の収容部は上方に開口部を有し、
前記第２の収容部及び第３の収容部はともに下方に開口部を有する、請求項１に記載の包装袋。
【請求項３】
前記プラスチックフィルムは、熱可塑性樹脂フィルム／シール層又は熱可塑性樹脂フィルム／バリア層／シール層の積層フィルムを含む請求項１又は２に記載の包装袋。
【請求項４】
前記熱可塑性樹脂フィルムにも前記シール層よりも弱い接着力のヒートシール性を持たせ、上辺及び下辺がヒートシールで止められてなる、請求項１〜３のいずれか１項に記載の包装袋。
【考案の詳細な説明】
【技術分野】
【０００１】
本考案は一般に包装袋に関するものであり、より特定的には、３つの物を分けて同時に封入できるように改良された包装袋に関する。
【背景技術】
【０００２】
従来から使用されている包装袋１の基本的構成は、図３（Ａ）、（Ｂ）に示すように、前後２面の壁面フィルム１ａ、１ｂを備え、これらの４辺すなわち両側部と上辺と下辺をシールしてなる。斜めハッチングした部分がシール部２である。包装袋１は、壁面フィルム１ａ、１ｂの下辺の間に、底面フィルム３を内側に向けて折り返し、底面フィルム折り返し部４まで挿入してなるガゼット５を有する。底面フィルム３を広げると、図３（Ｂ）に示すように自立する。
【０００３】
包装袋１の上部には、再封止手段であるチャック６（チャックを合わせて端から軽くおさえて閉める機能を有する）が設けられている。一方の側のフィルム１ａと他方の側のフィルム１ｂとに囲まれて形成された収容部に、内容物７が密封される。図３（Ｂ）を参照して、切り欠き部８より開封し、チャック６を開け、内容物７を取り出す。
【考案の概要】
【考案が解決しようとする課題】
【０００４】
しかしながら、従来の包装袋では、収容部が１つであるので、例えば内容物が粉ものである場合、１種類しか封入できないという問題点があった。
【０００５】
この考案は、上記のような問題点を解決するためになされたもので、３つのものを分けて同時に封入できるように改良された包装袋を提供することを目的とする。
【課題を解決するための手段】
【０００６】
本考案に係る包装袋は、プラスチックフィルムで形成された包装袋であって、第１の収容部と第２の収容部と第３の収容部とを備える。上記第２の収容部及び第３の収容部は、上記第第１の収容部を両側から挟むように設けられ、両側部がヒートシールにより止められている。
【０００７】
本考案によれば、１つの袋で３つの収容部を持たせることができる。
【０００８】
好ましくは、上記第１の収容部は上方に開口部を有し、上記第２の収容部及び第３の収容部はともに下方に開口部を有する。
【０００９】
上記第１の収容部、上記第２の収容部及び上記第３の収容部を形成するプラスチックフィルムは、一枚フィルムで連なっているのが好ましい。
【００１０】
上記プラスチックフィルムは、熱可塑性樹脂フィルム／シール層又は熱可塑性樹脂フィルム／バリア層／シール層の積層フィルムを含む。
【００１１】
上記熱可塑性樹脂フィルムにも上記シール層よりも弱い接着力のヒートシール性を持たせ、上辺及び下辺がヒートシールで止められてなるのが特に好ましい。
【００１２】
このような積層フィルムは、ヒートシール性のＯＰＰフィルム（OPP＝Oriented Polypropylene(二軸延伸ポリプロピレン)）とＣＰＰフィルム（Cast Polypropylene (無軸延伸ポリプロピレン)）との積層フィルムであるのが特に好ましい。
【考案の効果】
【００１３】
本考案によれば、１つの袋で３つの収容部を持たせることができるので、３つのものを分けて同時に封入できる。
【図面の簡単な説明】
【００１４】
【図１】（Ａ）は、本考案の実施例１に係る包装袋の正面図であり、（Ｂ）は図１（Ａ）におけるＢ−Ｂ線に沿う切断端面図であり、（Ｃ）は開封の動作を説明する図である。
【図２】（Ａ）は本考案に係る包装袋の製造方法の第１工程、（Ｂ）は第２工程、（Ｃ）は図２（Ｂ）におけるＣ−Ｃ線に沿う切断端面図、（Ｄ）は第３工程、（Ｅ）は、出来上がった包装袋の正面図、（Ｆ）は、図２（Ｅ）におけるＦ−Ｆ線に沿う切断端面図である。
【図３】（Ａ）従来から使用されているガゼット付き包装用袋の正面図であり、（Ｂ）は底面フィルムを広げた時の概念図である。
【考案を実施するための形態】
【００１５】
３つのものを分けて同時に封入できる包装袋を得るという目的を、１つの袋で３つの収容部を持たせることによって実現した。以下、本考案の実施例を、図を用いて説明する。なお、各図中において、同一又は相当する部分には同一の参照番号を付し、その説明を繰り返さない。
【実施例１】
【００１６】
図１（Ａ）、（Ｂ）、（Ｃ）を参照して、本考案の実施例１に係る包装袋１は、プラスチックフィルムで形成され、上方に開口部９ａを有する第１の収容部９と、下方に開口部１０ａを有する第２の収容部１０及び下方に開口部１１ａを有する第３の収容部１１とを備える。第２の収容部１０及び第３の収容部１１は、第１の収容部９を両側から挟むように設けられ、両側部がヒートシールにより止められている。第１の収容部９には例えばボールペン本体１２が収容され、第２の収容部１０には黒色の替え芯１３が収容され、第３の収容部１１には赤色の替え芯１４が収容される。第２の収容部１０及び第３の収容部１１のそれぞれの開口部は強い接着力でヒートシールされている。第１の収容部９の開口部は、弱い接着力でヒートシールされている。
【００１７】
開封の動作について説明すると、第１の収容部９の開口部９ａは弱いヒートシールで接着されているので、両手１８で引っ張ることにより開けることができる。第２の収容部１０及び第３の収容部１１の開口部１０ａ、１１ａも、両手１８で引っ張ることにより開けることができる。
【００１８】
次に、本考案に係る包装袋の製造方法について説明する。図２（Ａ）に示すように、表層１５とシール層１６が積層された１枚の積層フィルム１７を準備する。表層１５の厚みは１２〜２５μｍである。シール層１６の厚みは４０〜７０μｍである。積層フィルム１７は、例えばヒートシール性のＯＰＰフィルム（OPP＝Oriented Polypropylene(二軸延伸ポリプロピレン)）とＣＰＰフィルム（Cast Polypropylene (無軸延伸ポリプロピレン)）との積層フィルムである。
【００１９】
図２（Ａ），（Ｂ）に示すように、積層フィルム１７を、シール層１６側が内側になるように、かつ長尺方向に４等分したうちの外側２つの部分１７ａ，１７ａが外側になるようにジグザグに外四つ折りする。折りの形は、図２（Ｂ），（Ｃ）に示すように、アルファベットのＭの字のようになる。図２（Ｄ）に示すように、幅方向の両側部をヒートシールで止める。
【００２０】
こうして、図２（Ｅ），（Ｆ）に示すような、上方に開口部９ａを有する第１の収容部９と、下方に開口部１０ａを有する第２の収容部１０及び下方に開口部１１ａを有する第３の収容部１１とを備え、第２の収容部１０及び第３の収容部１１が、第１の収容部９を両側から挟むように設けられ、両側部がヒートシールにより止められた、一枚のプラスチックフィルムで形成された包装袋１が完成する。
【００２１】
それぞれの収容部９，１０，１１に異なる物品を入れて、上辺及び下辺をヒートシールして開口部９ａ，１０ａ，１１ａを閉じる。第２の収容部１０及び第３の収容部１１のそれぞれの開口部１０ａ，１１ａは、シール層を用いたヒートシールであるので、強い接着力でシールされる。一方、第１の収容部９の開口部９ａは、ヒートシール性のＯＰＰフィルムを用いたヒートシールであるので弱い接着力でシールされる。
【００２２】
上記実施例では、一枚フィルムで、第１、第２、第３収容部を形成した場合を例示したが、この考案はこれに限られるものでない。
【００２３】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２４】
本考案に係る包装袋によれば、１つの袋で３つの収容部を持たせることができるので、３つのものを分けて同時に封入できる。
【符号の説明】
【００２５】
１     包装袋
１ａ   一方の壁面フィルム
１ｂ   他方の壁面フィルム
２     シール部
３     底面フィルム
４     底面フィルム折り返し部
５     ガゼット
６     チャック
７     内容物
８     切り欠き部
９     第１の収容部
１０   第２の収容部
１１   第３の収容部
９ａ，１０ａ、１１a  開口部
１２   ボールペン本体
１３   黒色の替え芯
１４   赤色の替え芯
１５   表層
１６   シール層
１７   積層フィルム
１８   手
【図１】
0003203273.tif 000003
【図２】
0003203273.tif 000004
【図３】
0003203273.tif 000005
【手続補正書】
【提出日】平成28年1月19日(2016.1.19)
【手続補正１】
【補正対象書類名】実用新案登録請求の範囲
【補正対象項目名】請求項１
【補正方法】変更
【補正の内容】
【請求項１】
プラスチックフィルムで形成された包装袋であって、
第１の収容部と第２の収容部と第３の収容部と、を備え、
前記第２の収容部及び第３の収容部は、前記第１の収容部を両側から挟むように設けられ、
両側部がヒートシールにより止められている、包装袋。
【手続補正２】
【補正対象書類名】実用新案登録請求の範囲
【補正対象項目名】請求項４
【補正方法】変更
【補正の内容】
【請求項４】
前記熱可塑性樹脂フィルムにも前記シール層よりも弱い接着力のヒートシール性を持たせ、上辺及び下辺がヒートシールで止められてなる、請求項３に記載の包装袋。